(57)【要約】【課題】  透明パネルの使用を止め、表面を露出させて作品を額縁に収納する際に、作品を安定させながら、その入れ替えを自在にする。【解決手段】  方形状のフレーム２と、フレーム２の内周側に張り出した状態で、フレーム２の表面に一体化するマット３と、高さがフレーム２の内法の高さより小さく、フレーム２に保持されたときにマット３の背面に重なり、マット３との間に作品８を挟み込む裏蓋４から表面露出型額縁１を構成し、フレーム２の表面に、フレーム２の外周側から内周側へかけてフレーム２の背面に接近する向きの傾斜を付ける。【選択図】      図１
2007075186.tif 000002
【特許請求の範囲】
【請求項１】
方形状のフレームと、このフレームの内周側に張り出した状態で、前記フレームの表面に一体化するマットと、高さと幅が前記フレームの内法より小さく、前記フレームに保持されたときに前記マットの背面に重なり、前記マットとの間に作品を挟み込む裏蓋とを備え、前記フレームの表面に、フレームの外周側から内周側へかけてフレームの背面に接近する向きの傾斜が付けられていることを特徴とする表面露出型額縁。
【請求項２】
前記裏蓋の表面に、前記作品の背面に密着してこれを保持するずれ止めが取り付けられていることを特徴とする請求項１に記載の表面露出型額縁。
【請求項３】
前記マットの、前記フレームから張り出した部分の背面と、前記裏蓋の表面の少なくともいずれか一方に、前記作品の端面が係止する受け材が取り付けられていることを特徴とする請求項１、もしくは請求項２に記載の表面露出型額縁。
【請求項４】
前記マットの、前記フレームから張り出した部分の背面に、前記作品が前記フレームの内周側から係止し得る保持材が２方向を向いて一体化し、この２方向を向いた保持材の内周側に前記裏蓋が配置されていることを特徴とする請求項１に記載の表面露出型額縁。
【請求項５】
前記裏蓋の背面に前記フレームに保持される被係止材が一体化していることを特徴とする請求項１乃至請求項４のいずれかに記載の表面露出型額縁。
【発明の詳細な説明】
【技術分野】
【０００１】
本発明は写真や絵画等の作品を、その表面が直接露出する状態で収納する表面露出型額縁に関するものである。
【背景技術】
【０００２】
写真や絵画等の作品を収納する額縁には作品を長期に亘って保護する観点から、作品の表面を覆う透明なパネルが装着されることが多いが（特許文献１、２参照）、作品の仕上がり状態を直に鑑賞者に伝えるために、表面が直接露出する状態で作品を収納することもある（特許文献３、４参照）。
【０００３】
表面を露出させた状態で作品を額縁に収納する場合には、作品を透明パネルによって表面側から押えることができないため、特許文献３、４のように裏板（裏蓋）の表面側に塗布された粘着剤や接着剤に作品の背面を接着させて安定させることが必要になる。
【０００４】
【特許文献１】特開２０００−３４２４１１号公報（請求項１、段落００１６、図１）
【特許文献２】特開２００２−１４２９３８号公報（請求項１、段落０００５、図１、図２、図４）
【特許文献３】実開昭５２−８６５９５号公報（請求項１、図２、図３）
【特許文献４】特開平８−１３１３０５号公報（請求項１、段落００１０〜００１１、段落００１４〜００２１、図１〜図３）
【発明の開示】
【発明が解決しようとする課題】
【０００５】
透明パネルの使用を止めて粘着剤等に作品を接着させる方法では、作品を一度、裏板に貼り付けた以上、剥がすことができないため、作品の入れ替えをすることができない。従って１作品に付き、１枚の額縁を用意せざるを得ず、作品の数に応じて額縁の数が増加するため、不経済であり、保管には相応の空間も確保しなければならない。
【０００６】
本発明は上記背景より、透明パネルの使用を止め、作品の表面を露出させて額縁に収納する上で、作品を安定させながら、その入れ替えが自在な額縁を提案するものである。
【課題を解決するための手段】
【０００７】
請求項１に記載の表面露出型額縁は、方形状のフレームと、このフレームの内周側に張り出した状態で、フレームの表面に一体化するマットと、高さと幅がフレームの内法より小さく、フレームに保持されたときにマットの背面に重なり、マットとの間に作品を挟み込む裏蓋とを備え、フレームの表面に、フレームの外周側から内周側へかけてフレームの背面に接近する向きの傾斜が付けられていることを構成要件とする。
【０００８】
方形状のフレームの表面に、作品を表面側から押えるマットが一体化し、そのマットの内周側がフレームの内周側から張り出すことに加え、フレームの表面に、フレームの外周側から内周側へかけてフレームの背面に接近する向きの傾斜が付けられることで、マットの背面がフレームの外周側から内周側へかけて次第に作品側へ接近するため、マットの背面に位置する裏蓋がフレームに保持されたときに、この裏蓋と共にマットが作品を裏蓋側へ押圧し、挟持する効果が生じる。フレームの表面に傾斜がなく、平坦であれば、マットの背面は作品側へは接近せず、マットと作品との間に隙間が生ずるため、マットが作品を挟持する効果は発生せず、額縁の使用状態において作品が自重で下がる可能性がある。
【０００９】
裏蓋は例えばその背面に直接、フレームの背面に接続されている留め具等が係止することによりフレームに保持され、同時に作品をマットとの間に挟み込む。請求項５に記載のように裏蓋の背面に被係止材が一体化する場合には、裏蓋はこの被係止材の背面に留め具等が係止することによりフレームに保持され、作品をマットとの間に挟み込む。
【００１０】
裏蓋が作品をマットとの間に挟み込むとき、マットの背面がフレームの外周側から内周側へかけて次第に作品側へ接近することで、マットの、フレームの内周から張り出した部分の背面は裏蓋の表面に密着し、その密着状態での圧力はマットの内周寄り程、大きくなるため、裏蓋の表面側に配置される作品はマットと裏蓋から圧力を受けた状態で両者に保持され、摩擦力により自重に抗して収納状態を維持することになる。
【００１１】
作品がマットと裏蓋に挟持されて収納状態を維持することで、作品を保持するための粘着剤等を使用する必要がない。従って作品の表面側における透明パネルの使用を止め、作品の表面を露出させながらも、作品を安定させた状態で額縁に収納することができ、作品の自由な入れ替えも可能になる。作品の入れ替えが自由になることで、作品毎に額縁を用意する必要もなくなり、保管のための空間の確保も不要になる。
【００１２】
作品はマットの背面との間、及び裏蓋の表面との間の摩擦力により収納状態を維持するが、請求項２に記載のように裏蓋の表面に、作品の背面に密着してこれを保持するずれ止めを取り付けておけば、仮に作品とマットとの間に隙間が生ずることがあっても、その隙間を埋めて作品をマット側へ押し出すことができるため、収納状態での作品の安定性が向上する。ずれ止めには作品に接着せずに、前記隙間を埋めることができる薄肉の材料が使用される。
【００１３】
また請求項３に記載のようにマットの、フレームから張り出した部分の背面と、裏蓋の表面の少なくともいずれか一方に、作品の端面が係止する受け材を取り付けておけば、作品が受け材に係止することで、面内方向への移動が拘束されるため、収納状態での作品の安定性が向上する。受け材は作品が係止することによりその面内の高さ方向と横方向の移動を拘束するため、少なくとも作品の下側と、幅方向（横方向）のいずれか一方に配置されれば足りる。
【００１４】
受け材はマットと裏蓋のいずれか一方に取り付けられればよいが、マットの背面に取り付けられた場合には、作品をフレームに一体化しているマットの背面に重ね、高さ方向と横方向に位置決めした状態でマットに裏蓋を重ねることができるため、作品の収納時の作業性の面からは、マットの背面に受け材を取り付けることが適切である。
【００１５】
更に請求項４に記載のようにマットの、フレームから張り出した部分の背面に、作品がフレームの内周側から係止し得る保持材を２方向に向けて一体化させておけば、請求項３と同様に作品の高さ方向と横方向の移動を保持材によって拘束することができるため、収納状態での作品の安定性が向上する。この場合、裏蓋は２方向を向いた保持材の内周側に配置される。
【００１６】
保持材は作品の２方向の端面に周囲から係止することで、作品の収納状態での安定性を確保するため、例えば作品の周囲を包囲するように方形状、または井桁状に組まれた形でマットの背面に接着等により一体化させられるが、マットと裏蓋による挟持を補えればよいため、少なくとも作品のいずれかの隅角部に２方向を向いてＬ形等に組まれた形でも足りる。
【発明の効果】
【００１７】
フレームの外周側から内周側へかけてフレームの背面に接近する向きの傾斜が付いたフレームの表面にマットが一体化し、そのマットの内周側がフレームの内周側から張り出すことで、マットの背面をフレームの外周側から内周側へかけて作品側へ接近させることができるため、裏蓋をフレームに保持させたときに、裏蓋と共にマットが作品を裏蓋側へ押圧し、挟持することができる。
【００１８】
この結果、作品の表面を露出させながらも、作品を安定させた状態で額縁に収納し、自由に入れ替えることができ、作品毎に額縁を用意する必要もなく、保管のための空間を確保する必要もない。
【発明を実施するための最良の形態】
【００１９】
以下、図面を用いて本発明を実施するための最良の形態を説明する。
【００２０】
本発明は図１、図２に示すように方形状のフレーム２と、このフレーム２の内周側に張り出した状態で、フレーム２の表面に一体化するマット３と、高さと幅がフレーム２の内法より小さく、フレーム２に保持されたときにマット３の背面に重なり、マット３との間に作品８を挟み込む裏蓋４とを備え、フレーム２の表面に、フレーム２の外周側から内周側へかけてフレーム２の背面に接近する向きの傾斜が付けられている表面露出型額縁１である。
【００２１】
フレーム２と裏蓋４の材料は問われず、木材、合成樹脂の他、アルミニウム合金等の金属から成型される。マット３の材料も問われないが、裏蓋４と共に作品８を押圧した状態でこれを保持することから、押圧時に弾性変形できるよう、フレーム２等より相対的に剛性の小さい材料が使用される。
【００２２】
フレーム２は縦枠２ａと横枠２ｂの端部を互いに突き合わせ、接合することにより方形状に組み立てられる。縦枠２ａと横枠２ｂの表面には図３、図４に示すようにフレーム２の外周側から内周側へかけてフレーム２の背面との距離が小さくなる向きの傾斜が付けられ、縦枠２ａと横枠２ｂの、フレーム２内周側の厚さはフレーム２外周側の厚さより小さい。縦枠２ａと横枠２ｂの表面の傾斜角度はフレーム２とマット３の寸法、及びフレーム２の内周と裏蓋４の外周との間の間隙の大きさ、並びに作品８の大きさ等によって決められる。傾斜角度が大きくなる程、マット３の傾斜角度も大きくなり、マット３から作品８に作用する圧力が大きくなるが、作品８との十分な接触面積が確保されればよいため、角度の大きさは問われない。
【００２３】
裏蓋４の背面には図２に示すようにフレーム２に背面側から保持される１本、もしくは複数本の被係止材５が高さ方向を向いて、または幅方向（横方向）を向いて配置され、接着やねじ等により裏蓋４に一体化する。被係止材５は縦枠２ａ、または横枠２ｂの背面に固定されている留め具６に保持されることから、裏蓋４の厚さに被係止材５の厚さを加えた大きさは縦枠２ａと横枠２ｂの、フレーム２内周側の厚さ程度以下となる。被係止材５がない場合には、裏蓋４の厚さが縦枠２ａと横枠２ｂの、フレーム２内周側の厚さ程度以下となる。被係止材５はフレーム２の横枠２ｂ，２ｂ間、または縦枠２ａ，２ａ間に跨る長さを有する。
【００２４】
マット３はフレーム２の形状に沿った外形をし、中央部には作品８を露出させるための開口部３ａが形成される。マット３の背面はフレーム２の傾斜した面に重なって接着等の手段により接合される。マット３は図３、図４に示すように断面上、フレーム２表面の傾斜に沿い、外周側から内周側へかけてフレーム２の表面側から背面側へ接近する向きに傾斜する。
【００２５】
マット３の内周（開口部３ａ）寄りの部分はフレーム２の内周よりその内周側へ張り出し、その背面はマット３自身が傾斜することと、フレーム２の厚さと裏蓋４の厚さとの関係から、裏蓋４がフレーム２に保持されたときに裏蓋４の表面に密着しようとする。マット３の、フレーム２の内周側へ張り出した部分が裏蓋４の表面に密着しようとすることで、作品８を裏蓋４と共に挟持し、安定させる。
【００２６】
作品８はマット３の内周の縁で包囲された領域、すなわち開口部３ａの面積より大きく、裏蓋４の面積以下の面積を持ち、周辺部においてマット３の背面と裏蓋４の表面に挟まれる形で保持される。このとき、作品８はマット３の傾斜に対応した圧力を厚さ方向に受けた状態になり、その圧力に応じた摩擦力を両面側から受けることにより表面露出型額縁１の使用状態での安定性を確保する。
【００２７】
図３、図４に示すように裏蓋４の表面には、表面露出型額縁１の使用状態での作品８の安定性を高めるために必要により、作品８の背面に密着してこれを保持するずれ止め７が取り付けられる。ずれ止め７にはゴムや合成樹脂、布、木片等、作品８を傷付けることなく、作品８との間の隙間を埋めながら作品８に付着しない材質の、薄肉の材料が使用される。
【００２８】
ずれ止め７は作品８とマット３との間に挟まれたときに、フレーム２や裏蓋４より相対的に剛性の小さいマット３が作品８の反対側へ変形する（反り返る）可能性があり、また作品８の見栄えを低下させる可能性がある関係から、作品８の背面に配置され、裏蓋４の表面に接着剤等により貼付される。
【００２９】
また図１、図５、図６に示すようにマット３の、フレーム２から張り出した部分の背面と、裏蓋４の表面の少なくともいずれか一方に、作品８の端面が係止する受け材９が取り付けられる。受け材９の材質も問われず、受け材９はマット３、または裏蓋４に接着等の手段で接合される。受け材９は着脱自在に接合される場合もある。
【００３０】
受け材９は作品８の収納時に作品８を高さ方向と横方向に位置決めし、表面露出型額縁１の使用時にその位置を維持する働きをするため、作品８の下端位置と、幅方向の一方の端面位置に配置されればよい。図１ではフレーム２を横長で使用する場合と縦長で使用する場合を想定し、高さ方向の一方側と横方向の一方側にのみ、それぞれ２個の受け材９を配置している。受け材９をマット３の背面に接合した場合には、作品８をマット３の背面に重ね、２方向に位置決めした状態でマット３に裏蓋４を重ね、表面露出型額縁１を組み立てることができる利点がある。
【００３１】
図７〜図９はマット３の、フレーム２から張り出した部分の背面に、作品８がフレーム２の内周側から係止し得る保持材１０を２方向に向けて一体化させた場合の表面露出型額縁１の組立例を示す。ここではフレーム２の縦枠２ａに平行な保持材１０を上下の横枠２ｂ，２ｂ間に架設し、横枠２ｂに平行な保持材１０を縦枠２ａに平行な保持材１０，１０間に架設し、２方向の保持材１０を井桁状に組んでいるが、作品８がフレーム２の内周側から２方向に係止可能であれば、保持材１０の組み方は任意であり、作品８の少なくともいずれかの隅角部にＬ形、またはハ形に組む場合もある。図７は表面露出型額縁１の正面を、図８は背面を示す。
【００３２】
作品８は図８、及びそのＣ−Ｃ線断面図である図９に示すように２方向の端面が保持材１０に係止することで、保持材１０によって周囲から２方向に拘束され、裏蓋４によってマット３との間に挟み込まれることで、安定する。図示するように保持材１０を方形状、または井桁状に組んだ場合、裏蓋４の面積は２方向の保持材１０，１０で囲まれた領域に納まる大きさになる。裏蓋４はその背面に一体化している被係止材５が横方向の保持材１０の留め具６に保持されることにより作品８をマット３との間に挟み込む。図７〜図９では作品８の周囲の端面と保持材１０の内周面との間にクリアランスが確保されているが、作品８はいずれか２本の保持材１０の内周面に係止することで安定するため、その保持材１０に対向する保持材１０との間に確保されるクリアランスは作品８を面内方向に圧縮させないために機能する。
【図面の簡単な説明】
【００３３】
【図１】表面露出型額縁の形成例を示した正面図である。
【図２】図１の背面図である。
【図３】図１のＡ−Ａ線断面図である。
【図４】図１のＢ−Ｂ線断面図である。
【図５】マットの背面に受け材を取り付けた場合の図１のＡ−Ａ線断面図である。
【図６】マットの背面に受け材を取り付けた場合の図１のＢ−Ｂ線断面図である。
【図７】マットの背面に保持材を取り付けた場合の表面露出型額縁を示した正面図である。
【図８】図７の背面図である。
【図９】図８のＣ−Ｃ線断面図である。
【符号の説明】
【００３４】
１………表面露出型額縁
２………フレーム
２ａ……縦枠
２ｂ……横枠
３………マット
３ａ……開口部
４………裏蓋
５………被係止材
６………留め具
７………ずれ止め
８………作品
９………受け材
１０……保持材
【図１】
2007075186.tif 000003
【図２】
2007075186.tif 000004
【図３】
2007075186.tif 000005
【図４】
2007075186.tif 000006
【図５】
2007075186.tif 000007
【図６】
2007075186.tif 000008
【図７】
2007075186.tif 000009
【図８】
2007075186.tif 000010
【図９】
2007075186.tif 000011